(57)【要約】【課題】前方部からの漏れを防止することが可能な吸収性物品に関する。【解決手段】前記吸収性物品は、表面シートと、裏面シートと、吸収性コアを有する吸収体と、を有する本体を備える。前記吸収性コアは、縦方向の両端部側に位置する前方コア部及び後方コア部と、前記前方コア部及び前記後方コア部の間に位置し、前記前方コア部及び前記後方コア部よりも幅の狭い中間コア部と、を有する。前記中間コア部は、横方向中央部に位置し、前記裏面シート側に突出する高坪量部と、前記高坪量部より低い坪量を有し前記高坪量部の横方向側部に位置する低坪量部と、を含み、横方向中央部において、前記前方コア部の坪量は、前記後方コア部の坪量よりも高い。【選択図】図６
2020188980.tif 000002
【特許請求の範囲】
【請求項１】
液透過性の表面シートと、裏面シートと、吸収性コアを有し前記表面シート及び前記裏面シートの間に配置された吸収体と、を有する本体を備え、着用者の前後方向に対応する縦方向及び前記縦方向に直交する横方向を有する吸収性物品であって、
前記吸収性コアは、
前記縦方向の両端部側に位置する前方コア部及び後方コア部と、
前記前方コア部及び前記後方コア部の間に位置し、前記前方コア部及び前記後方コア部よりも幅の狭い中間コア部と、を有し、
前記中間コア部は、
前記横方向中央部に位置し、前記裏面シート側に突出する高坪量部と、
前記高坪量部より低い坪量を有し前記高坪量部の前記横方向側部に位置する低坪量部と、を含み、
前記横方向中央部において、前記前方コア部の坪量は、前記後方コア部の坪量よりも高い
吸収性物品。
【請求項２】
前記前方コア部の前記横方向中央部における坪量は、前記低坪量部の坪量よりも高い
請求項１に記載の吸収性物品。
【請求項３】
前記高坪量部の前端部は、前記縦方向前方に向かって前記横方向の幅が漸減するように構成される
請求項１又は２に記載の吸収性物品。
【請求項４】
前記吸収性物品は、前記本体における前記裏面シートの外表面に設けられた、前記縦方向に延びる複数の本体粘着部をさらに具備し、
前記複数の本体粘着部は、前記横方向に前記本体を２等分し前記縦方向に延びる中心線上には設けられておらず、前記中心線の前記横方向両側にそれぞれ配置される
請求項１ないし３のいずれか一項に記載の吸収性物品。
【請求項５】
前記吸収性コアは、前記前方コア部に設けられた、前記横方向に延びる低坪量の横溝部をさらに有する
請求項１ないし４のいずれか一項に記載の吸収性物品。
【請求項６】
前記吸収性コアは、前記前方コア部の前記横方向中央部に設けられた、前記縦方向に延びる低坪量の縦溝部をさらに有する
請求項１ないし５のいずれか一項に記載の吸収性物品。
【請求項７】
前記吸収性物品は、前記本体から前記横方向外方に延出するウイング部をさらに具備し、
前記ウイング部の基部全体が、前記縦方向において前記低坪量部と重なるように配される
請求項１ないし６のいずれか一項に記載の吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状物を吸収するための吸収体を備えている。吸収体は、当該液状物を吸収し拡散する吸収性コアのほか、当該吸収性コアを被覆するコアラップシート等を有する。例えば特許文献１には、装着者の排泄領域に対向する吸収性コアの中央領域に、排泄領域に対するフィット性を高めるための突出部が設けられた吸収性物品が開示されている。
【先行技術文献】
【特許文献】
【０００３】
【特許文献１】特開２０１４−１０４０９３号公報
【発明の概要】
【発明が解決しようとする課題】
【０００４】
生理用ナプキン等の吸収性物品では、就寝時や座位時など着用者の多様な姿勢時において、高いフィット性が求められる。例えばうつ伏せ寝時や座位で後方に重心が移動した場合などには、吸収性物品の前方部と着用者の排泄領域前方部との間に隙間が生じやすく、排泄された液状物の前方からの漏れが懸念される。
【０００５】
本発明の課題は、前方部からの漏れを防止することが可能な吸収性物品に関する。
【課題を解決するための手段】
【０００６】
本発明の一形態に係る吸収性物品は、液透過性の表面シートと、裏面シートと、吸収性コアを有し前記表面シート及び前記裏面シートの間に配置された吸収体と、を有する本体を備え、着用者の前後方向に対応する縦方向及び前記縦方向に直交する横方向を有する。
前記吸収性コアは、
前記縦方向の両端部側に位置する前方コア部及び後方コア部と、
前記前方コア部及び前記後方コア部の間に位置し、前記前方コア部及び前記後方コア部よりも幅の狭い中間コア部と、を有する。
前記中間コア部は、
前記横方向中央部に位置し、前記裏面シート側に突出する高坪量部と、
前記高坪量部より低い坪量を有し前記高坪量部の前記横方向側部に位置する低坪量部と、を含み、
前記横方向中央部において、前記前方コア部の坪量は、前記後方コア部の坪量よりも高い。
【発明の効果】
【０００７】
以上のように、本発明の吸収性物品によれば、前方部からの漏れを防止することが可能である。
【図面の簡単な説明】
【０００８】
【図１】本発明の一実施形態の吸収性物品を示す斜視図である。
【図２】上記吸収性物品を示す平面図である。
【図３】図２のIII−III線で切断した断面図である。
【図４】上記吸収性物品の吸収性コアを示す図であり、下面側から見た裏面図である。
【図５】上記吸収性コアの中間コア部の構成を模式的に示す断面図であり、図５Ａは非着用時、図５Ｂは着用時を示す。
【図６】図４のVI−VI線で切断した断面図である。
【図７】上記吸収性物品を示す平面図であり、上記吸収性物品のウイング部と上記吸収性コアとの位置関係を示す図である。
【発明を実施するための形態】
【０００９】
以下、図面を参照しながら、本発明の実施形態を説明する。
【００１０】
［ナプキンの全体構成］
図１及び図２に示す吸収性物品１は、本体Ｍと、一対のウイング部Ｗと、一対の立体ガードＧと、一対の後方フラップ部Ｆと、圧搾溝部Ｅと、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上、着衣に近い側を下という事がある。
ナプキン１は、就寝時に使用されてもよく、例えば縦方向Ｘに沿って３０ｃｍ以上の長さを有していてもよい。
【００１１】
本体Ｍは、縦方向Ｘに沿って延び、着用時に着用者の下着の内面に固定される。本体Ｍは、後述する吸収体１１を有しており、着用者の経血等の液状物（以下、「液」とも称する）を吸収する機能を有する。
【００１２】
立体ガードＧは、本体Ｍの横方向Ｙ周縁に設けられ、縦方向Ｘに延びるように配置される。立体ガードＧは、着用時に厚み方向Ｚに起立し、横方向Ｙの液の漏れを防止することができる。なお、「厚み方向に起立する」とは、着用者側に向かって起立することを意味する。
【００１３】
圧搾溝部Ｅは、後述する表面シート１２から厚み方向Ｚ下方に向かって圧縮されて形成され、例えば、本体Ｍの周縁部を囲むように構成される。
ウイング部Ｗは、本体Ｍから横方向Ｙの外方に大きく突出するように構成される。
後方フラップ部Ｆは、本体Ｍの後方部において横方向Ｙの外方に膨出するように構成される。
なお、ナプキン１は、ウイング部Ｗ、立体ガードＧ、圧搾溝部Ｅ及び後方フラップ部Ｆのうちの少なくとも一つを有さなくてもよい。
【００１４】
図３に示すように、ナプキン１は、吸収体１１と、表面シート１２と、裏面シート１３と、一対のサイドシート１４と、を備える。本体Ｍにおいて、ナプキン１は、裏面シート１３、吸収体１１、及び表面シート１２が厚み方向Ｚに積層された構成を有する。これらの構成は、例えば、接着剤やヒートシール等による接合、及び圧搾溝部Ｅによるエンボス加工等によって、適宜接合されて一体化している。
【００１５】
吸収体１１は、縦方向Ｘに沿って延び、表面シート１２と裏面シート１３との間に配置される。吸収体１１は、液を表面シート１２から吸収し、内部で拡散させて当該液を保持する。
吸収体１１は、吸収性コア１６と、コアラップシート１７と、を有する。
吸収性コア１６は、例えば、パルプ繊維等の親水性繊維で構成された繊維集合体で形成されてもよいし、当該繊維集合体に吸水性ポリマーを保持させた構成を有していてもよい。
コアラップシート１７は、吸収性コア１６を被覆し、例えば吸収性コア１６の形状を保持する機能等を有する。コアラップシート１７は、例えばティッシュペーパー状の薄く柔らかい紙や液透過性の不織布等で形成される。
【００１６】
表面シート１２は、液透過性のシート材として構成され、吸収体１１の厚み方向Ｚ上方に配置される。なお、表面シート１２と吸収体１１との間には、表面シート１２から吸収体１１への液の透過性の向上、吸収体１１に吸収された液の表面シート１２への液戻りの防止等の観点から、セカンドシート（サブレイヤーシート）が配置されていてもよい。
【００１７】
裏面シート１３は、吸収体１１の厚み方向Ｚ下方に配置される。裏面シート１３は、例えば周縁部において、表面シート１２及びサイドシート１４と接着剤、熱シール等によって接合される。裏面シート１３は、接着剤等によって吸収体１１に接合されていてもよい。
【００１８】
本体Ｍにおける裏面シート１３の外表面には、本体粘着部１８が設けられ、ウイング部Ｗにおける裏面シート１３の外表面には、ウイング粘着部１９が設けられる。これらの本体粘着部１８及びウイング粘着部１９は、ナプキン１を着衣に対して固定させるずれ止め材としての機能を有する。これらの粘着部１８，１９は、例えば、裏面シート１３にホットメルト粘着剤等の粘着剤を塗工することにより形成される。なお、図示はしないが、ナプキン１は、後方フラップ部Ｆに設けられた後方フラップ粘着部をさらに備えていてもよい。
【００１９】
一対のサイドシート１４は、表面シート１２を挟んで横方向Ｙに相互に対向し、ナプキン１の横方向Ｙ周縁に配置される。サイドシート１４は、不織布や樹脂製等のフィルムで形成することができる。サイドシート１４は、液難透過性、撥水性及び透湿性等の機能を有することが好ましく、積層構造でも、単層構造でもよい。
サイドシート１４は、本実施形態において、横方向Ｙ周縁部が外側に折り返されて、立体ガードＧを構成する。サイドシート１４は、立体ガードＧの基部において接着剤１５により表面シート１２に接合される。
【００２０】
［吸収性コアの構成］
（全体構成）
図３に示すように、吸収性コア１６は、厚み方向Ｚ上方（表面シート１２側）に位置する上面１６ａと、厚み方向Ｚ下方（裏面シート１３側）に位置する下面１６ｂと、を有する。吸収性コア１６は、下面１６ｂに凹凸構造が形成され、後述する各部の坪量が調整される。また、上面１６ａは、例えば平坦に構成されるが、着用時には、着用者から厚み方向Ｚの圧力が付加されることで変形し得る。当該変形の詳細については、後述する。
【００２１】
図４に示すように、吸収性コア１６は、前方コア部２０と、中間コア部２１と、後方コア部２２と、を有する。前方コア部２０、中間コア部２１及び後方コア部２２は、縦方向Ｘに沿って並んでいる。すなわち、前方コア部２０及び後方コア部２２は縦方向Ｘの両端部側に位置し、前方コア部２０及び後方コア部２２の間に中間コア部２１が位置する。中間コア部２１は、着用者の排泄領域に対向する領域であり、前方コア部２０及び後方コア部２２は、着用者の排泄領域の前方部及び後方部にそれぞれ対向する部分である。吸収性コア１６は、横方向Ｙにおいて左右対称な平面形状を有する。
【００２２】
図４に示すように、中間コア部２１は、前方コア部２０の幅寸法Ｄ１及び後方コア部２２の幅寸法Ｄ３よりも狭い幅寸法Ｄ２を有する。つまり、吸収性コア１６は、中間コア部２１において横方向Ｙに括れた平面形状を有する。
中間コア部２１の幅寸法Ｄ２は、横方向Ｙにおける最小幅寸法をいうものとする。前方コア部２０の幅寸法Ｄ１及び後方コア部２２の幅寸法Ｄ３は、横方向Ｙにおける最大幅寸法をいうものとする。
吸収性コア１６が幅狭な中間コア部２１を有することで、着用者の両脚が閉じ股間幅が狭くなった場合に、中間コア部２１に付加される横方向Ｙからの外力を低減させることができる。
【００２３】
前方コア部２０の幅寸法Ｄ１及び後方コア部２２の幅寸法Ｄ３は同一でも異なっていてもよく、図４に示す例では、略同一の寸法を有する。
図４に示す例では、中間コア部２１の幅寸法Ｄ２が縦方向Ｘに沿って一定に形成されている。また、前方コア部２０の幅寸法Ｄ１及び後方コア部２２の幅寸法Ｄ３は、後述する前方テーパ領域２０ｔ及び後方テーパ領域２２ｔ以外の領域で縦方向Ｘに沿って一定であるが、これに限定されない。
なお、ある領域において「幅寸法が一定」とは、当該領域の横方向Ｙにおける最小幅を１００％としたときに、当該領域内の幅寸法の差異が２０％以下に収まっていることをいう。なお、前方コア部２０及び後方コア部２２では、横方向Ｙにおける最小幅を１００％としたときに各領域内の幅寸法の差異が１０％以下であることが好ましい。
前方コア部２０及び後方コア部２２の縦方向Ｘの長さ寸法は同一でも異なっていてもよく、例えば後方コア部２２がより長く構成される。
【００２４】
幅寸法の異なる前方コア部２０と中間コア部２１との境界部分は、例えば縦方向Ｘ前方に向かって幅が漸増するように構成される。すなわち、前方コア部２０は、中間コア部２１に隣接して形成され、縦方向Ｘ前方に向かって幅が漸増する前方テーパ領域２０ｔを含む。
同様に、幅寸法の異なる後方コア部２２と中間コア部２１との境界部分は、例えば縦方向Ｘ後方に向かって幅が漸増するように構成される。すなわち、後方コア部２２は、中間コア部２１に隣接して形成され、縦方向Ｘ後方に向かって幅が漸増する後方テーパ領域２２ｔを含む。
前方テーパ領域２０ｔ及び後方テーパ領域２２ｔの外縁は直線状に限定されず、曲線状でもよい。後方テーパ領域２２ｔ及び前方テーパ領域２０ｔの形状は、前後対称でもよいし、前後非対称でもよい。
【００２５】
（中間コア部の構成）
中間コア部２１は、高坪量部２３と、高坪量部２３よりも低い坪量を有する低坪量部２４と、を有する。図４及び後述する図７では、高坪量部２３を高密度のドットパターンで示し、低坪量部２４を低密度のドットパターンで示している。
高坪量部２３は、横方向Ｙ中央に位置し、裏面シート１３に向かって突出する。
低坪量部２４は、高坪量部２３の横方向Ｙ側部に形成される。図４に示す例では、低坪量部２４は、高坪量部２３を挟んで左右に分割されている。
吸収性コア１６の坪量は、高密度の圧搾溝部以外の領域において、厚みと正の相関を有する。このため、高坪量部２３は、低坪量部２４から厚み方向Ｚ下方に突出し、低坪量部２４よりも厚く構成される。
また、吸収性コア１６の坪量は、剛性とも正の相関を有する。つまり、高坪量部２３は、低坪量部２４よりも剛性が高く、外力に対して変形しにくい。一方で、低坪量部２４は、坪量が相対的に低いため、外力に対して変形しやすい構成を有する。
【００２６】
図５の模式的な断面図を用いて、中間コア部２１における非着用時（図５Ａ）及び着用時（図５Ｂ）の形状について説明する。
図５Ａに示すように、中間コア部２１は、下面１６ｂにおいて、高坪量部２３と低坪量部２４との間に形成された段差を有する。
すなわち、高坪量部２３は、下面１６ｂにおいて、頂面領域２３ｂと、頂面領域２３ｂから連続して形成された側面領域２３ｅと、を含む。
頂面領域２３ｂは、厚み方向Ｚ下方を向く面であり、全体として平坦に構成されている。
側面領域２３ｅは、厚み方向Ｚ下方に突出する高坪量部２３の側面を構成し、例えば横方向Ｙに向く面である。
図５Ａに示す例では、側面領域２３ｅがＸＹ平面に対して垂直になるように構成され、高坪量部２３の平面視における面積が頂面領域２３ｂの面積と同一に構成されている。しかし、これに限定されず、例えば側面領域２３ｅがＸＹ平面に対して傾斜していてもよい。
一方、上面１６ａは、下面１６ｂと比較すると平坦な中央領域２３ａを含む。
なお、「上面１６ａ又は下面１６ｂが平坦」とは、後述する低坪量の溝部及び圧搾溝部Ｅを除いた領域が略平坦であることをいい、コア材の繊維等の突出による細かな凹凸は考慮しないものとする。また図５において、当該溝部及び圧搾溝部Ｅの図示は省略している。
【００２７】
低坪量部２４は、上面１６ａにおいて、第１周縁領域２４ａを含み、下面１６ｂにおいて、第２周縁領域２４ｂを含む。
第１周縁領域２４ａは、中央領域２３ａから連続して平坦に形成され、図５Ａに示す非着用時においては中央領域２３ａと同一平面上に位置している。
第２周縁領域２４ｂは、側面領域２３ｅの端部から横方向Ｙ外方に張り出した領域である。
【００２８】
図５Ｂに示す着用時において、中間コア部２１は、着用者から厚み方向Ｚ下方、すなわち着衣側に向かって圧力が付加された状態となる。下面１６ｂには、高坪量部２３である頂面領域２３ｂと低坪量部２４である第２周縁領域２４ｂとの間に段差が形成されているため、第２周縁領域２４ｂは、側面領域２３ｅ側に押し付けられる。これにより、上面１６ａは、中央領域２３ａと第１周縁領域２４ａとの間で折れ曲がり、第１周縁領域２４ａが、中央領域２３ａに接続された基部から端部側に向かって押し下げられる。したがって、第１周縁領域２４ａが斜面状に変形する。
【００２９】
つまり、着用時には、高坪量部２３の横方向側部に形成された低坪量部２４が、着用者から付加される圧力によって着衣側に押し付けられる。これにより、裏面シート１３側に突出する高坪量部２３は、相対的に肌側に向かって押し上げられ、中間コア部２１が横方向中央部において着用者側に盛り上がるように変形する。これにより、高坪量部２３が着用者の排泄領域に密着する。
また、吸収性コア１６は、上面１６ａ側に段差を有さず、第１周縁領域２４ａが中央領域２３ａから連続する斜面状に変形する。これにより、上面１６ａと排泄領域との間に隙間のできにくい構成となり、排泄領域へのフィット性及び装着感の高いナプキン１となる。
【００３０】
さらに、中間コア部２１は、前方コア部２０及び後方コア部２２よりも幅狭に構成される。これにより、ナプキン１では、着用者の両脚によって付加される横方向Ｙからの外力が緩和される。さらに、中間コア部２１が幅狭に構成されることで、易変形領域である低坪量部２４の幅も小さく構成できる。このため、着用者の両脚によって低坪量部２４が横方向Ｙに圧縮されるような意図しない変形を抑制できる。つまり、横方向Ｙからの外力によって、低坪量部２４の第２周縁領域２４ｂが、側面領域２３ｅ側に押し付けられるように適切に変形し易くなる。したがって、中間コア部２１が幅狭に構成されることで、高坪量部２３が厚み方向Ｚ上方へ盛り上がるような凸形状へ変形し易くなり、排泄領域へのフィット性をより高めることができる。
【００３１】
（前方コア部と後方コア部の坪量関係）
図６に模式的に示すように、ナプキン１では、前方コア部２０の坪量が、後方コア部２２の坪量よりも高くなるように構成される。なお、図６では、後述する低坪量の溝部及び圧搾溝部Ｅの図示を省略している。
より具体的に、ナプキン１では、前方コア部２０全体の坪量が、後方コア部２２全体の坪量よりも高くなるように構成される。しかし、少なくとも横方向中央部において、前方コア部２０の坪量が、後方コア部２２の坪量よりも高くなるように構成されればよい。
図４に示すように、前方コア部２０の横方向中央部２０ｃとは、前方コア部２０を横方向Ｙに３等分したうちの中央の部分をいう。これに対し、前方コア部２０の横方向Ｙ両側方の部分を、横方向側部２０ｄとする。
同様に、後方コア部２２の横方向中央部２２ｃとは、後方コア部２２を横方向Ｙに３等分したうちの中央の部分をいう。これに対し、後方コア部２２の横方向Ｙ両側方の部分を、横方向側部２２ｄとする。
上述のように、坪量と厚みとは、圧搾溝部Ｅを除き正の相関関係を有するため、前方コア部２０の横方向中央部２０ｃの厚みＤ４は、後方コア部２２の横方向中央部２２ｃの厚みＤ５よりも大きく構成される。
【００３２】
このように、ナプキン１では、前方コア部２０が、後方コア部２２よりも高坪量で厚く構成される。これにより、前方コア部２０の横方向中央部２０ｃも、高坪量部２３から連続して厚み方向Ｚ上方に盛り上がる形状になり易く、着用者の排泄領域前方部との密着性が高められる。また、上面１６ａには、高坪量部２３と前方コア部２０の横方向中央部２０ｃとの間の段差が形成されていないため、前方コア部２０が着用者の身体形状に沿うような縦方向Ｘに湾曲する形状になり易く、着用者の排泄領域前方部との密着性がさらに高められる。
【００３３】
以上のように、ナプキン１では、高坪量部２３が裏面シート１３側に突出していること、中間コア部２１が幅狭に構成されること、及び、少なくとも横方向中央部において前方コア部２０の坪量が後方コア部２２の坪量よりも高くなるように構成されること、により、着用者との密着性が十分高められる。さらに、ナプキン１では、うつ伏せ寝時や臀部に重心が付加された時などの、前方からの液の漏れが懸念されるような場合でも、前方コア部２０における着用者との密着性が維持され、前方コア部２０からの液の漏れが抑制される。以下、詳細に説明する。
【００３４】
着用者がうつ伏せ寝の姿勢においては、前方コア部２０が着用者から厚み方向Ｚ下方に押される。これにより、前方コア部２０が厚み方向Ｚに圧縮されるとともに、ナプキン１に対し、前方に引っ張る力が作用する。
上述のように、ナプキン１では、高坪量部２３と着用者の排泄領域とが密着し易いため、高坪量部２３においてナプキン１の前方への移動が抑制される。
また、中間コア部２１が幅狭に構成されることで、上述のように高坪量部２３の上方へ凸に盛り上がる変形が促進され、前方への移動抑制効果を高めることができる。
さらに、ナプキン１では、少なくとも横方向中央部において、前方コア部２０の坪量が後方コア部２２の坪量よりも大きい。これにより、低坪量の後方コア部２２が、ナプキン１を前方へ引っ張る力に対して相対的に移動しやすくなる。この後方コア部２２の移動によって、当該前方への引っ張り力のエネルギが消費され、当該引っ張り力が緩和される。したがって、前方コア部２０の前方への移動がさらに抑制されることで、前方コア部２０において、着用者の排泄領域前方部に沿うような、縦方向Ｘに湾曲する好ましい形状が維持される。これにより、前方コア部２０と着用者との間の隙間の発生が抑制され、液の前方からの漏れが抑制される。
【００３５】
また、座位や、座位から仰向け寝の姿勢に移行する動作においてナプキン１が臀部側に加重された際（以下、後方重心移動動作時とする）には、ナプキン１に対し、後方に引っ張る力が作用する。
ナプキン１では、後方に向かって高坪量部２３が引っ張られた場合でも、後方コア部２２よりも坪量の高い前方コア部２０が、高坪量部２３とともに上方に盛り上がった形状を維持し易い。これにより、仮に高坪量部２３が後方へ移動した場合でも、前方コア部２０の凸形状が着用者の排泄領域に密着する。したがって、排泄領域及びその前方におけるフィット性が維持され、前方からの液の漏れが抑制される。
【００３６】
（前方コア部と低坪量部との坪量関係）
ナプキン１では、前方コア部２０の横方向中央部２０ｃにおける坪量は、低坪量部２４の坪量よりも高い。
【００３７】
これにより、両脚による横方向Ｙ外方からの外力によって、低坪量部２４がより変形し易くなる。したがって、高坪量部２３が相対的に盛り上がるように変形し易くなり、高坪量部２３と着用者の排泄領域との密着性が高まり、ナプキン１が前後方向に移動しにくくなる。
つまり、うつ伏せ寝時には、ナプキン１が前方へ引っ張られる力を高坪量部２３において抑制でき、前方コア部２０の前方への移動をより確実に抑制できる。
また、後方重心移動動作時には、低坪量部２４が後方へ引っ張られる力を受けるが、低坪量部２４が変形しやすいため、引っ張り力のエネルギが低坪量部２４で消費され、この力が低坪量部２４において緩衝される。これにより、前方コア部２０が低坪量部２４に向かって後方に引っ張られることが抑制され、前方コア部２０の後方への移動が抑制される。
したがって、上記構成により、前方コア部２０の移動が抑制され、前方コア部２０の変形に伴う液の漏れが抑制される。
【００３８】
（高坪量部の平面形状）
図４に示すように、高坪量部２３は縦方向Ｘに沿って延びるが、その前後端部の形状により、前方コア部２０への引っ張り力の伝搬を緩和することができる。なお、高坪量部２３の平面形状とは、ＸＹ平面における形状をいい、ここでは頂面領域２３ｂの平面形状と同義で用いるものとする。
【００３９】
高坪量部２３は、縦方向Ｘ前方に向かって横方向Ｙの幅が漸減する前端部２３ｃを含む。つまり、中間コア部２１の前方部分では、前方コア部２０に向かって高坪量部２３の幅が徐々に狭まるとともに、低坪量部２４の幅が徐々に広がる構成となる。
【００４０】
後方重心移動動作時においては、上述のように着用者からナプキン１に対して後方へ引っ張る力が付加されるが、特に、着用者と密着性の高い高坪量部２３に当該引っ張り力が付加され易い。この場合に、前方コア部２０に近い前端部２３ｃの幅が前方に向かって漸減することで、前方コア部２０に上記引っ張り力が伝搬されにくくなる。したがって、前方コア部２０が上記引っ張り力によって後方へ移動することがさらに抑制され、前方コア部２０におけるフィット性が維持される。
【００４１】
また、高坪量部２３では、縦方向Ｘにおける後方に位置する後端部２３ｄも、縦方向Ｘ後方に向かって幅が漸減する構成を有していてもよい。
【００４２】
図４において、前端部２３ｃ及び後端部２３ｄは、円弧形状又は楕円弧形状を有している。これにより、前端部２３ｃ及び後端部２３ｄの先端における幅が０となるため、前方コア部２０への上記引っ張り力の伝搬がより抑制される。したがって、前方コア部２０におけるフィット性が維持される。
【００４３】
高坪量部２３の前端部２３ｃ及び後端部２３ｄの形状は、上記形状に限定されない。
例えば、前端部２３ｃ及び後端部２３ｄは、先端が鋭角の三角形状を有していてもよい。これによっても、前端部２３ｃ及び後端部２３ｄが先端に向かって幅が漸減する形状を有し、かつ、前端部２３ｃ及び後端部２３ｄの先端における幅が０となる。したがって、図４の前端部２３ｃ及び後端部２３ｄと同様の作用効果を得ることができる。
あるいは、前端部２３ｃ及び後端部２３ｄは、先端に横方向Ｙに沿った辺を含む台形状を有してもよいし、角が丸い矩形状を有していてもよい。これらによっても、前端部２３ｃ及び後端部２３ｄが先端に向かって幅が漸減する形状を有し、引っ張り力の前方コア部２０への伝搬抑制作用を高めることができる。
なお、前端部２３ｃ及び後端部２３ｄは、先端に向かって幅が漸減する形状を有さず、全体が略同一の幅の矩形状に構成されてもよい。
【００４４】
［本体粘着部の構成］
図２及び図３に示すように、本体Ｍにおける裏面シート１３の外表面には、縦方向Ｘに延びる複数の本体粘着部１８が設けられている。本体粘着部１８により、本体Ｍが着衣に固定される。
図２に示すように、複数の本体粘着部１８は、横方向Ｙに本体Ｍを２等分し縦方向Ｘに延びる中心線Ｌ上には設けられておらず、中心線Ｌの横方向Ｙ両側にそれぞれ配置される。ナプキン１では、例えば２本以上の偶数本の本体粘着部１８が、中心線Ｌに関して線対称に配置されている。各本体粘着部１８は、例えば、縦方向Ｘに延びる帯状のパターンで構成されている。
【００４５】
ナプキン１では、中心線Ｌ上に本体粘着部１８が設けられていないため、ナプキン１の中心線Ｌ上の領域が着衣による制限を受けずに、上方に変形し易くなる。これにより、ナプキン１が横方向Ｙ外側及び厚み方向Ｚからの外力を受けた場合に、高坪量部２３及び前方コア部２０が、中心線Ｌ上を中心として上方に盛り上がるような好ましい凸形状を採りやすくなる。したがって、前後方向に引っ張り力が付加される後方重心移動動作時及びうつ伏せ寝時にも、高坪量部２３及び前方コア部２０の横方向中央部が上記凸形状及び密着性を維持しやすく、前方からの液の漏れをより効果的に防止できる。
【００４６】
［溝部の構成］
図４に示すように、吸収性コア１６は、低坪量の横溝部２６、縦溝部２７及び環状溝部２８によってブロック状に分割されている。これらの溝部は、吸収性コア１６の下面１６ｂに開口し、厚み方向Ｚ上方に向かって形成された溝を有し、周囲より低い坪量を有する。
これらの溝部により、着用時において吸収性コア１６を着用者の身体に沿いやすい形状に制御することができる。以下、各溝部の構成と作用について説明する。
【００４７】
（横溝部）
図４に示すように、吸収性コア１６は、前方コア部２０に設けられた、横方向Ｙに延びる低坪量の横溝部２６ａを有する。坪量と剛性とは相関関係を有することから、横溝部２６ａは、溝部以外の領域と比較して変形しやすい部分となる。
図４に示す例において、横溝部２６ａは、横方向Ｙにおいて、前方コア部２０の全幅にわたって形成されているが、前方コア部２０の一部に形成されていてもよい。
【００４８】
横溝部２６ａは、剛性が低く変形し易いため、変形の起点となり易い。これにより、横溝部２６ａを起点として前方コア部２０が縦方向Ｘに湾曲するように変形し易くなり、ナプキン１が、着用者の排泄領域前方部の湾曲形状に沿う形状に変形し易くなる。したがって、前方コア部２０におけるフィット性が向上し、前後方向における引っ張り力に対する移動を抑制できる。このことから、うつ伏せ寝時や後方重心移動動作時等においても前方コア部２０において好ましい形状が維持され、前方からの液漏れを防止することができる。
また、横溝部２６ａでは、液の拡散に寄与するコア材が少ない。このため、横溝部２６ａにより、液の縦方向Ｘの拡がりを防止でき、前方からの液漏れをより効果的に防止することができる。
【００４９】
図４に示す例では、横溝部２６ａは、前方コア部２０に１本設けられているが、これに限定されず、例えば前方コア部２０に複数本設けられていてもよい。
前方コア部２０に横溝部２６ａが複数本存在することで、前方コア部２０が着用者の排泄領域前方部の湾曲形状に沿う形状により変形し易くなる。したがって、前方コア部２０におけるフィット性が向上し、前後方向における引っ張り力による移動や好ましくない変形を抑制でき、前方からの液漏れをさらに効果的に防止することができる。
【００５０】
さらに、吸収性コア１６は、前方コア部２０に形成された横溝部２６ａの他、他の部分に形成された横溝部を有していてもよい。これらの横溝部を総称して「横溝部２６」と称する。横溝部２６は、吸収性コア１６に柔軟性を付与するとともに、着用者の身体へのフィット性を高めることができる。横溝部２６ａ以外の横溝部２６の構成等については、後述する。
【００５１】
（縦溝部）
吸収性コア１６は、前方コア部２０の横方向中央部２０ｃに設けられた、縦方向Ｘに延びる低坪量の縦溝部２７ｃを有する。上述のように、坪量と剛性とは相関関係を有することから、縦溝部２７ｃは、溝部以外の領域と比較して変形し易い部分となる。
図４に示す例において、縦溝部２７ｃは、横方向中央部２０ｃにおいて１本設けられているが、複数本設けられていてもよい。また、縦溝部２７ｃは、縦方向Ｘにおいて、前方コア部２０の全長にわたって形成されているが、前方コア部２０の一部に形成されていてもよい。
【００５２】
縦溝部２７ｃにより、前方コア部２０の形状が柔軟に変形可能となり、例えば高坪量部２３から連続して横方向中央部２０ｃが盛り上がるような凸形状に変形し易くなる。これにより、着用者の排泄領域の前方部に密着する形状により変形し易くなり、前後方向における引っ張り力による移動を抑制できる。したがって、前方からの液漏れをさらに効果的に防止することができる。
【００５３】
なお、吸収性コア１６は、縦溝部２７ｃの他、他の縦溝部を有していてもよい。吸収性コア１６に形成された縦溝部を総称して「縦溝部２７」と称する。これらの縦溝部２７は、吸収性コア１６に柔軟性を付与するとともに、着用者の身体へのフィット性を高めることができる。縦溝部２７ｃ以外の縦溝部２７の構成については、後述する。
【００５４】
（環状溝部）
さらに、吸収性コア１６は、高坪量部２３の周囲を環状に囲うように、高坪量部２３の外縁に沿って形成されている環状溝部２８を有していてもよい。環状溝部２８を設けることで、着用者から厚み方向Ｚ下方に圧力が付加された場合、環状溝部２８が折れ曲がる起点となり得、低坪量部２４の厚み方向Ｚ下方への変形がより容易になる。
【００５５】
［ウイング部の構成］
図２及び図７に示すように、ウイング部Ｗは、本体Ｍから横方向Ｙ外方に延出する。
図７に示すように、ナプキン１では、ウイング部Ｗの基部Ｗａ全体が、縦方向Ｘにおいて低坪量部２４と重なるように配される。
ウイング部Ｗの基部Ｗａは、ウイング部Ｗの本体Ｍとの境界部とする。ウイング部Ｗは、着用時に着衣を挟んで本体Ｍと対向するように基部Ｗａ付近から折り曲げられ、着用者の着衣の外面に固定される。
つまり、ナプキン１では、ウイング部Ｗの基部Ｗａの縦方向Ｘにおける長さが、低坪量部２４（中間コア部２１）の縦方向Ｘの長さ以下となり、かつ、基部Ｗａ全体が低坪量部２４に面する構成となる。
【００５６】
ウイング部Ｗの基部Ｗａ全体が低坪量部２４と重なるように配されることで、ウイング部Ｗを着衣の外面に巻き込む際に、低坪量部２４が変形し、前方コア部２０は当該巻き込みの影響を受けにくくなる。すなわち、低坪量部２４は、ウイング部Ｗの巻き込み時に、着衣側に押し付けられるように変形するため、相対的に高坪量部２３が盛り上がるように変形し、好ましい凸形状となり易くなる。一方で、前方コア部２０は、上記巻き込みの影響を受けないため、着用者の排泄領域前方部の湾曲に沿った形状に維持され易く、フィット性を維持することができる。したがって、前方からの液の漏れをより効果的に抑制できる。
【００５７】
［本実施形態の追加説明］
以下、本実施形態の説明を補足する。
【００５８】
（吸収性コアの各部の幅）
前方コア部２０及び後方コア部２２の幅寸法Ｄ１，Ｄ３は、好ましくは６０ｍｍ以上、より好ましくは７０ｍｍ以上であり、そして好ましくは１００ｍｍ以下、より好ましくは９０ｍｍ以下である。
中間コア部２１の最も狭い部分の幅寸法Ｄ２は、好ましくは４０ｍｍ以上、より好ましくは５０ｍｍ以上であり、そして好ましくは７５ｍｍ以下、より好ましくは７０ｍｍ以下である。
【００５９】
（吸収性コアの坪量）
横溝部２６、縦溝部２７及び環状溝部２８を除く吸収性コア１６の坪量は、好ましくは１００ｇ／ｍ２以上、より好ましくは１５０ｇ／ｍ２以上であり、そして好ましくは１０００ｇ／ｍ２以下、より好ましくは９００ｇ／ｍ２以下である。
また、高坪量部２３の坪量は、好ましくは４００ｇ／ｍ２以上、より好ましくは５００ｇ／ｍ２以上であり、そして好ましくは１０００ｇ／ｍ２以下、より好ましくは９００ｇ／ｍ２以下である。
低坪量部２４の坪量は、好ましくは８０ｇ／ｍ２以上、より好ましくは１３０ｇ／ｍ２以上であり、そして好ましくは５００ｇ／ｍ２以下、より好ましくは４００ｇ／ｍ２以下である。
前方コア部２０全域の坪量は、好ましくは１２０ｇ／ｍ２以上、より好ましくは１７０ｇ／ｍ２以上であり、そして好ましくは７００ｇ／ｍ２以下、より好ましくは６００ｇ／ｍ２以下である。
後方コア部２２全域の坪量は、好ましくは１１０ｇ／ｍ２以上、より好ましくは１６０ｇ／ｍ２以上であり、そして好ましくは６５０ｇ／ｍ２以下、より好ましくは５５０ｇ／ｍ２以下である。
前方コア部２０の横方向中央部２０ｃの坪量は、好ましくは１５０ｇ／ｍ２以上、より好ましくは２００ｇ／ｍ２以上であり、そして好ましくは７５０ｇ／ｍ２以下、より好ましくは６５０ｇ／ｍ２以下である。
後方コア部２２の横方向中央部２２ｃの坪量は、好ましくは１４０ｇ／ｍ２以上、より好ましくは１９０ｇ／ｍ２以上であり、そして好ましくは７００ｇ／ｍ２以下、より好ましくは６００ｇ／ｍ２以下である。
前方コア部２０の横方向側部２０ｄの坪量は、好ましくは１００ｇ／ｍ２以上、より好ましくは１５０ｇ／ｍ２以上であり、そして好ましくは６５０ｇ／ｍ２以下、より好ましくは５５０ｇ／ｍ２以下である。
後方コア部２２の横方向側部２２ｄの坪量は、好ましくは９０ｇ／ｍ２以上、より好ましくは１４０ｇ／ｍ２以上であり、そして好ましくは６００ｇ／ｍ２以下、より好ましくは５００ｇ／ｍ２以下である。
【００６０】
（吸収性コアの坪量の測定方法）
測定対象である吸収性コア１６の各部をフェザー社製片刃剃刀を用いて切断し、９つの小片を得る。これらの小片は、それぞれ、中間コア部２１における高坪量部２３及び２つの低坪量部２４、前方コア部２０における横方向中央部２０ｃ及び２つの横方向側部２０ｄ、並びに後方コア部２２における横方向中央部２２ｃ及び２つの横方向側部２２ｄに対応する。
得られた小片の面積は、以下のように求める。まず、切断前の吸収性コア全体をＯＨＰシートに書き写し、小片に対応する切断部毎に区画する。このＯＨＣシートに書き写された画像を、パーソナルコンピューター向けスキャナー（キャノン製  CanoScanMP Navigator EX）でスキャンする。スキャンされた画像を、画像解析ソフト（株式会社ネクサス製  nexus New Qube）を用いて解析し、各切断部（小片）の面積を算出する。
それぞれの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
なお、前方コア部２０全体の坪量は、横方向中央部２０ｃ及び２つの横方向側部２０ｄの合計の重量を、これら３つの小片の合計面積で除して算出された坪量とする。同様に、後方コア部２２全体の坪量は、横方向中央部２２ｃ及び２つの横方向側部２２ｄの合計の重量を、これら３つの小片の合計面積で除して算出された坪量とする。
【００６１】
（吸収性コアの厚み寸法）
吸収性コア１６の各部の厚み方向Ｚの寸法は、坪量を考慮して設定することができる。
高坪量部２３の厚みは、好ましくは３ｍｍ以上、より好ましくは５ｍｍ以上であり、そして好ましくは１５ｍｍ以下、より好ましくは１３ｍｍ以下である。
低坪量部２４の厚みは、好ましくは２ｍｍ以上、より好ましくは３ｍｍ以上、そして好ましくは１２ｍｍ以下、より好ましくは１０ｍｍ以下である。
前方コア部２０の横方向中央部２０ｃの厚みＤ４は、好ましくは２ｍｍ以上、より好ましくは４ｍｍ以上であり、そして好ましくは１４ｍｍ以下、より好ましくは１１ｍｍ以下である。
後方コア部２２の横方向中央部２２ｃの厚みＤ５は、好ましくは２ｍｍ以上、より好ましくは４ｍｍ以上であり、そして好ましくは１３ｍｍ以下、より好ましくは１０ｍｍ以下である。
【００６２】
（横溝部、縦溝部及び環状溝部の構成）
吸収性コア１６には、前方コア部２０の横方向中央部２０ｃに位置する横溝部２６ａ以外にも、横方向Ｙに延びる横溝部２６が形成されていてもよい。なお、以下の説明において、前方コア部２０に位置する横溝部２６ａを、前方横溝部２６ａとも称する。
図４に示すように、前方コア部２０と中間コア部２１との境界部分には、第１境界横溝部２６ｂが設けられる。これにより、低坪量部２４の変形が前方コア部２０に伝搬することを抑制でき、前方コア部２０の好ましい形状が維持される。
中間コア部２１には、複数の中間横溝部２６ｃが設けられる。これにより、中間コア部２１に柔軟性が付与され、高坪量部２３が上方に盛り上がる好ましい凸形状への変形が促される。中間横溝部２６ｃは、図４の例では４本設けられているが、これに限定されない。
中間コア部２１と後方コア部２２との境界部分には、第２境界横溝部２６ｄが設けられる。これにより、低坪量部２４の変形が後方コア部２２に伝搬することを抑制できる。
後方コア部２２には、複数の後方横溝部２６ｅが設けられる。これにより、後方コア部２２が着用者の臀部に沿って縦方向Ｘに湾曲し易くなり、臀部におけるフィット性も高められる。後方横溝部２６ｅは、図４の例では５本設けられているが、これに限定されない。
【００６３】
横溝部２６の配列間隔は、等間隔に限定されず、異なっていてもよい。また、各横溝部２６は、吸収性コア１６の横方向Ｙ全幅にわたって形成されているが、横方向Ｙの一部のみに形成されていてもよい。また、各横溝部２６の溝幅は、同一でもよいし、異なっていてもよい。
【００６４】
吸収性コア１６には、前方コア部２０の横方向中央部２０ｃに位置する縦溝部２７ｃ以外にも、縦方向Ｘに延びる縦溝部２７が形成されていてもよい。例えば、前方コア部２０の横方向中央部２０ｃの縦溝部２７を第１縦溝部２７ｃとし、その横方向Ｙ両側に形成された縦溝部２７を、第２縦溝部２７ｄ及び第３縦溝部２７ｅとする。
図４に示す前方コア部２０において、第２縦溝部２７ｄは、横方向中央部２０ｃと横方向側部２０ｄとの境界に形成され、第３縦溝部２７ｅは、横方向側部２０ｄにそれぞれ形成されている。これに限定されず、例えば第２縦溝部２７ｄが横方向中央部２０ｃに形成されていてもよいし、横方向側部２０ｄに形成されていてもよい。第１縦溝部２７ｃ、第２縦溝部２７ｄ及び第３縦溝部２７ｅは、横方向Ｙに等間隔で配置されているが、等間隔でなくてもよい。
さらに、第１縦溝部２７ｃ、第２縦溝部２７ｄ及び第３縦溝部２７ｅの溝幅は、異なっていてもよいし、同一でもよい。
【００６５】
また、縦溝部２７は、前方コア部２０のみならず、中間コア部２１及び後方コア部２２にも形成されていてもよい。図４に示す例では、第１縦溝部２７ｃは、吸収性コア１６の縦方向Ｘ全長にわたって延びている。第２縦溝部２７ｄ及び第３縦溝部２７ｅは、後方コア部２２及び前方コア部２０の縦方向Ｘ全長にわたって延びている。これらの縦溝部２７の構成は限定されず、各部の縦方向Ｘの一部に形成されていてもよいし、溝幅が一定でなくてもよい。例えば、図４に示すように、後方コア部２２に配される縦溝部２７のうち、横方向Ｙの中央に位置する縦溝部２７ｃが最も横方向Ｙの外側に位置する縦溝部２７ｅよりも溝幅が太いことが好ましい。この場合には、後方コア部２２に横方向Ｙからの外力が加わった際に、後方コア部２２の横方向Ｙ中央側が、太い縦溝部２７ｃを起点として横方向Ｙの両側へ折れ曲がり易くなるので、臀裂に沿った形状に後方コア部２２が変形して着用感が良好となり易い。後方コア部２２において、太い縦溝部２７は、３本以上存在することが、上述した効果が一層発揮され易くなるので好ましい。なお、太い縦溝部２７（２７ｃ、２７ｄ）の溝幅は、細い縦溝部２７（２７ｅ）の溝幅に対して１．１倍以上１０倍以下、特に１．２倍以上５倍以下であることが、上述した効果を有効に発揮する観点から好ましい。
【００６６】
縦溝部２７、横溝部２６及び環状溝部２８の溝幅は、好ましくは０．５ｍｍ以上、より好ましくは１ｍｍ以上であり、好ましくは１０ｍｍ以下、より好ましくは５ｍｍ以下である。縦溝部２７、横溝部２６及び環状溝部２８の深さは、例えば、０．５ｍｍ以上１０ｍｍ以下である。
【００６７】
また、図３に示すように、ナプキン１では、後方コア部２２において、横方向Ｙの中心線Ｌに最も近く配された縦溝部２７が、本体粘着部１８とは平面視において重ならない。より具体的に言うと、図３のナプキン１では、平面視において、当該縦溝部２７が、左右一対の本体粘着部１８の間に配されている。このため、当該縦溝部２７は横方向Ｙの両側へ折れ曲がり易くなり、後方コア部２２が臀部に沿う形状に変形し易くなる。このとき、前述したように、当該縦溝部２７が太い縦溝部２７（２７ｃ、２７ｄ）であると、一層臀部に沿う形に変形し易くなる。
【００６８】
上記で説明した他にも、横溝部２６、縦溝部２７及び環状溝部２８の形状や配置などの構成は、図４に記載された構成に限定されず、吸収性コア１６の形状や要求される機能等に基づいて適宜設定され得る。また、ナプキン１では、吸収性コア１６が、横溝部２６、縦溝部２７及び環状溝部２８のうち少なくとも一つを有していなくてもよい。
【００６９】
なお、各溝部２６〜２８の「低坪量」とは、吸収性コア１６の材料が存在する形態の他、吸収性コア１６の材料が存在しない形態も含む概念である。各溝部２６〜２８で吸収性コア１６の材料が存在する形態では、各溝部２６〜２８を介してその両側に位置する吸収性コア１６のブロック状部位が接続されているため、吸収性コア１６が動きによってヨレ・破壊・千切れ等が生じ難く、かつ柔軟性を付与することが出来るためより好ましい。
【００７０】
（コアラップシートの構成）
図３に示すように、コアラップシート１７は、吸収性コア１６の表裏を被覆するように、吸収性コア１６の横方向Ｙに巻き付けられる。コアラップシート１７の横方向Ｙに沿った幅寸法は、例えば縦方向Ｘに沿って一定に構成されるが、これに限定されず、縦方向Ｘ中間部で小さい又は大きい幅寸法を有するように構成されてもよい。
図５に示すように、コアラップシート１７は、吸収性コア１６の各部を被覆するコア被覆部１７ｃと、低坪量部２４の横方向Ｙ外方へ延出する延出部１７ｓと、を有する。
延出部１７ｓは、中間コア部２１の括れ形状を形成する空間領域Ｓを区画するように構成される。すなわち、延出部１７ｓの内部には、吸収性コア１６を構成するコア材が存在していない。但し、空間領域Ｓには、コア材の本体は存在しないが、吸収性コア１６の周縁から外方へ突出した繊維や、吸収性コア１６から分離したコア材の一部が部分的に存在してもよい。
吸収体１１のうち、延出部１７ｓは、低坪量部２４よりも低い坪量で構成され、より変形し易く構成される。図５に示すように、着用時には、コアラップシート１７の延出部１７ｓが、着用者から厚み方向Ｚ下方（着衣側）に向かって圧力を受ける。コアラップシート１７は、吸収性コア１６よりも十分に低い剛性を有するため、延出部１７ｓは、当該圧力によって着衣に沿うように押し付けられた状態が維持される。つまり、コアラップシート１７の延出部１７ｓが厚み方向Ｚ下方に押し付けられていることで、コアラップシート１７の内部に位置する低坪量部２４も、厚み方向Ｚ下方に押し下げられた状態に維持される。
このように、低坪量部２４のさらに横方向Ｙ外方にコアラップシート１７の延出部１７ｓが存在することで、低坪量部２４が自身の弾性力によって着用前の形状に戻ることを防止できる。これにより、高坪量部２３が相対的に厚み方向Ｚ上方に盛り上がった状態に維持される。したがって、高坪量部２３と排泄領域との間の密着性が維持され、ナプキン１に前後方向の引っ張り力が付加された場合にも、ナプキン１全体の移動を抑制でき、前方からの漏れをより効果的に防止することができる。
【００７１】
（立体ガードの構成）
図２及び図３に示すように、立体ガードＧは、折返し領域１４１と、固定端部１４２と、弾性部材１４３とを有する。立体ガードＧは、本実施形態においてサイドシート１４で構成されるが、サイドシート１４とは別のシート材で形成されてもよい。
折返し領域１４１は、サイドシート１４において、横方向Ｙ外方に折り返された部分である。
固定端部１４２は、立体ガードＧの横方向Ｙ内側の端部であり、表面シート１２の肌対向面に接合される立体ガードＧの基部である。固定端部１４２は、本実施形態において接着剤１５を用いて表面シート１２に接合される。
弾性部材１４３は、折返し領域１４１に配置され、縦方向Ｘに伸縮可能な複数の糸状弾性部材を含む。弾性部材１４３は、ＸＹ平面に引き延ばされた状態のサイドシート１４に、縦方向Ｘに伸長された状態で取り付けられる。これにより、着用時に、弾性部材１４３が縦方向Ｘに収縮して肌対向面が緩やかに凹むように本体Ｍが湾曲し、折返し領域１４１が厚み方向Ｚに起立することができる。起立した折返し領域１４１の肌側の面は、着用者の肌と当接し得る面となり、横方向Ｙの液漏れが防止される。
図２に示すように、立体ガードＧは、本実施形態において、本体Ｍの縦方向Ｘ全長にわたって配置され、少なくとも一部が起立可能に構成される。
立体ガードＧは、起立領域Ｇ１と非起立領域Ｇ２とを有する。
起立領域Ｇ１は、厚み方向Ｚに起立可能に構成される。起立領域Ｇ１は、前方部分において、中間コア部２１から前方コア部２０まで延出しており、後方部分において、中間コア部２１から後方コア部２２まで延出している。
非起立領域Ｇ２は、起立領域Ｇ１の後方及び前方にそれぞれ形成される。非起立領域Ｇ２は、例えばサイドシート１４が折り返された状態でサイドシート１４の外面と厚み方向Ｚに接合される。これにより、非起立領域Ｇ２では折返し領域１４１が起立しないように構成される。
弾性部材１４３は、実際には非起立領域Ｇ２を含む立体ガードＧ全体に配置されているが、少なくとも起立領域Ｇ１に配置されていればよい。図２では、非起立領域Ｇ２における弾性部材１４３の図示を省略している。
立体ガードＧの起立領域Ｇ１が前方コア部２０の一部まで延出することで、前方コア部２０に弾性部材１４３による弾性力が作用し、前方コア部２０が着用者の身体に沿って縦方向Ｘに湾曲する形状を採りやすくなる。これにより、前方コア部２０におけるフィット性が高まり、前方からの液漏れを効果的に防止できる。
【００７２】
以上、本発明の実施形態について説明したが、本発明は上述の実施形態にのみ限定されるものではなく、本発明の要旨を逸脱しない範囲内において種々変更を加え得ることは勿論である。
【００７３】
以上の実施形態では、吸収性物品として生理用ナプキンの例を示したが、これに限定されない。本発明の吸収性物品は、例えば、尿取りパットやおりものシート、使い捨ておむつ等であってもよい。
【符号の説明】
【００７４】
１…ナプキン（吸収性物品）
１１…吸収体
１２…表面シート
１３…裏面シート
１６…吸収性コア
２０…前方コア部
２０ｃ…横方向中央部
２０ｄ…横方向側部
２１…中間コア部
２２…後方コア部
２３…高坪量部
２４…低坪量部
【図１】
2020188980.tif 000003
【図２】
2020188980.tif 000004
【図３】
2020188980.tif 000005
【図４】
2020188980.tif 000006
【図５】
2020188980.tif 000007
【図６】
2020188980.tif 000008
【図７】
2020188980.tif 000009
【手続補正書】
【提出日】令和2年2月14日(2020.2.14)
【手続補正１】
【補正対象書類名】図面
【補正対象項目名】図３
【補正方法】変更
【補正の内容】
【図３】
2020188980.tif 000010
【手続補正２】
【補正対象書類名】図面
【補正対象項目名】図５
【補正方法】変更
【補正の内容】
【図５】
2020188980.tif 000011